(57)【要約】【課題】  発言権を柔軟に管理できるように特定の使用者に発言権管理方式を制御し得るマスター権限を与えるＰＴＴサービスシステムの発言権管理方法を提供する。【解決手段】  ＰＴＴサーバーが特定のＰＴＴクライアントにマスター権限を与える過程と、前記マスター権限を有するＰＴＴクライアントが選択する発言権管理方式により前記ＰＴＴサーバーが他のＰＴＴクライアントを制御する過程により、ＰＴＴサーバーがセッションを開始するＰＴＴクライアントにマスター権限を与え、前記マスター権限を有するＰＴＴクライアントが発言権管理方式を自由に制御するＰＴＴサービスシステムの発言権管理方法を提供する。【選択図】  図１
2006042357.tif 000002
【特許請求の範囲】
【請求項１】
１つ以上のＰＴＴクライアントにＰＴＴサーバーを通じてセッションが設定されるＰＴＴサービスシステムにおいて、
ＰＴＴサーバーが特定のＰＴＴクライアントにマスター権限を与える過程と、
前記マスター権限を有するＰＴＴクライアントが決定した発言権管理方式により前記ＰＴＴサーバーが他のＰＴＴクライアントを制御する過程と
から構成されることを特徴とするＰＴＴサービスシステムの発言権管理方法。
【請求項２】
前記マスター権限は、
ＰＴＴサーバーがセッションの設定を要求したＰＴＴクライアントに与えるか、マスター権限を有するＰＴＴクライアントが第３のＰＴＴクライアントに移譲することを特徴とする請求項１に記載のＰＴＴサービスシステムの発言権管理方法。
【請求項３】
前記発言権管理方式は、
セッションが設定された全てのＰＴＴクライアントに発言権を一回ずつ与える方式と、
所定時間以上特定のＰＴＴクライアントが独占した発言権を解除する方式と、
特定のＰＴＴクライアントの発言権を禁止する方式と、
マスター権限を第３のＰＴＴクライアントに与える方式と、
第３のＰＴＴクライアントに与えられた発言権を強制的に解除し、マスター権限を有するＰＴＴクライアントが次の発言権の優先順位を有する方式とのうち少なくとも１つ以上を含むことを特徴とする請求項１に記載のＰＴＴサービスシステムの発言権管理方法。
【請求項４】
特定のＰＴＴクライアントが１つ以上の他のＰＴＴクライアントを招待する過程と、
ＰＴＴサーバーが前記招待を開始したＰＴＴクライアントにマスター権限を与える過程と、
前記マスター権限を有するＰＴＴクライアントが発言権管理方式を決定する過程と、
前記ＰＴＴサーバーが、前記決定された発言権管理方式によりセッションが設定されたＰＴＴクライアントの発言権を制御する過程と
から構成されることを特徴とするＰＴＴサービスシステムの発言権管理方法。
【請求項５】
前記発言権管理方式を決定する過程は、
セッションに招待されたＰＴＴクライアントに発言権を与える方式を設定する過程を含むことを特徴とする請求項４に記載のＰＴＴサービスシステムの発言権管理方法。
【請求項６】
前記発言権を与える方式は、
発言権の優先順位又は発言権付与回数などの設定を含むことを特徴とする請求項５に記載のＰＴＴサービスシステムの発言権管理方法。
【請求項７】
前記発言権管理方式を決定する過程は、
所定時間以上発言権を独占するＰＴＴクライアントの発言権を解除するように設定する過程を含むことを特徴とする請求項４に記載のＰＴＴサービスシステムの発言権管理方法。
【請求項８】
前記発言権管理方式を決定する過程は、
特定のＰＴＴクライアントの発言権を禁止するか、該当ＰＴＴクライアントのセッションを解除する過程を含むことを特徴とする請求項４に記載のＰＴＴサービスシステムの発言権管理方法。
【請求項９】
前記発言権管理方式を決定する過程は、
マスター権限を有するＰＴＴクライアントが第３のＰＴＴクライアントにマスター権限を移譲する過程を含むことを特徴とする請求項４に記載のＰＴＴサービスシステムの発言権管理方法。
【請求項１０】
前記発言権管理方式を決定する過程は、
第３のＰＴＴクライアントに与えられた発言権を強制的に解除し、マスター権限を有するＰＴＴクライアント自身が次の発言権の優先順位を有する過程を含むことを特徴とする請求項４に記載のＰＴＴサービスシステムの発言権管理方法。
【発明の詳細な説明】
【技術分野】
【０００１】
本発明は、プッシュツートーク（Push to Talk: 以下、ＰＴＴという）サービスシステムに関し、マスター権限を有する特定のＰＴＴ端末が発言権の制御を行うＰＴＴサービスシステムの発言権管理方法に関する。
【背景技術】
【０００２】
ＰＴＴサービスは、一人の使用者にのみ発言権が与えられる半二重通信であり、使用者の選択により一対一（One-to-One）又は一対グループ（One-to-Group）の通話を提供する。
【０００３】
前記一対グループの通話は、多数の通話相手を対象としてＰＴＴサービスを実現し、特定の使用者が多数の使用者又はグループを選択してＰＴＴキーを押すと、ＰＴＴサーバーを通じてＰＴＴ端末間にセッションが設定され、前記選択された全ての受信者は、セッションに参加して音声データを送受信できる。
【０００４】
前記セッションが設定された全てのＰＴＴ端末は、ＰＴＴ通信はできるが、音声データを伝送するためには、発言権を獲得する必要がある。前記ＰＴＴサーバーは、セッションに参加した使用者のうち一人の使用者のみが音声データを伝送できるように発言権を管理する。
【０００５】
前述したように、従来のＰＴＴサービスの発言権管理は、ＰＴＴサーバーにより行われたため、特定の使用者に発言権が与えられた（allocated）場合、その発言権が解除されるまでは他の使用者が発言権を有することができないという問題があった。
【０００６】
また、従来のＰＴＴサービスの発言権管理において、発言権を独占する使用者や不要な発言をする使用者をグループ通話から除外するためには、全ての使用者がＰＴＴ通話を終了してセッションを解除した後、グループを再設定し、再びセッションを設定しなければならないという面倒な点があった。
【発明の開示】
【発明が解決しようとする課題】
【０００７】
本発明の目的は、発言権を柔軟に管理できるように特定の使用者に発言権管理方式を制御できるマスター権限を与えるＰＴＴサービスシステムの発言権管理方法を提供することにある。
【課題を解決するための手段】
【０００８】
このような目的を達成するために、本発明に係るＰＴＴサービスシステムの発言権管理方法は、１つ以上のＰＴＴクライアント間にＰＴＴサーバーを通じてセッションが設定されるＰＴＴサービスシステムにおいて、ＰＴＴサーバーが特定のＰＴＴクライアントにマスター権限を与える過程と、前記マスター権限を有するＰＴＴクライアントが決定した発言権管理方式により前記ＰＴＴサーバーが他のＰＴＴクライアントを制御する過程とから構成されることを特徴とする。
【０００９】
このような目的を達成するために、本発明に係るＰＴＴサービスシステムの発言権管理方法は、特定のＰＴＴクライアントが１つ以上の他のＰＴＴクライアントを招待する過程と、ＰＴＴサーバーが招待を開始したＰＴＴクライアントにマスター権限を与える過程と、前記マスター権限を有するＰＴＴクライアントが発言権管理方式を決定する過程と、前記ＰＴＴサーバーが、前記決定された発言権管理方式によりセッションが設定されたＰＴＴクライアントの発言権を制御する過程とから構成されることを特徴とする。
【００１０】
本発明は、以下を提供する：
（項目１）
１つ以上のＰＴＴクライアントにＰＴＴサーバーを通じてセッションが設定されるＰＴＴサービスシステムにおいて、
ＰＴＴサーバーが特定のＰＴＴクライアントにマスター権限を与える過程と、
前記マスター権限を有するＰＴＴクライアントが決定した発言権管理方式により前記ＰＴＴサーバーが他のＰＴＴクライアントを制御する過程と
から構成されることを特徴とするＰＴＴサービスシステムの発言権管理方法。
（項目２）
前記マスター権限は、
ＰＴＴサーバーがセッションの設定を要求したＰＴＴクライアントに与えるか、マスター権限を有するＰＴＴクライアントが第３のＰＴＴクライアントに移譲することを特徴とする項目１に記載のＰＴＴサービスシステムの発言権管理方法。
（項目３）
前記発言権管理方式は、
セッションが設定された全てのＰＴＴクライアントに発言権を一回ずつ与える方式と、
所定時間以上特定のＰＴＴクライアントが独占した発言権を解除する方式と、
特定のＰＴＴクライアントの発言権を禁止する方式と、
マスター権限を第３のＰＴＴクライアントに与える方式と、
第３のＰＴＴクライアントに与えられた発言権を強制的に解除し、マスター権限を有するＰＴＴクライアントが次の発言権の優先順位を有する方式とのうち少なくとも１つ以上を含むことを特徴とする項目１に記載のＰＴＴサービスシステムの発言権管理方法。
（項目４）
特定のＰＴＴクライアントが１つ以上の他のＰＴＴクライアントを招待する過程と、
ＰＴＴサーバーが前記招待を開始したＰＴＴクライアントにマスター権限を与える過程と、
前記マスター権限を有するＰＴＴクライアントが発言権管理方式を決定する過程と、
前記ＰＴＴサーバーが、前記決定された発言権管理方式によりセッションが設定されたＰＴＴクライアントの発言権を制御する過程と
から構成されることを特徴とするＰＴＴサービスシステムの発言権管理方法。
（項目５）
前記発言権管理方式を決定する過程は、
セッションに招待されたＰＴＴクライアントに発言権を与える方式を設定する過程を含むことを特徴とする項目４に記載のＰＴＴサービスシステムの発言権管理方法。
（項目６）
前記発言権を与える方式は、
発言権の優先順位又は発言権付与回数などの設定を含むことを特徴とする項目５に記載のＰＴＴサービスシステムの発言権管理方法。
（項目７）
前記発言権管理方式を決定する過程は、
所定時間以上発言権を独占するＰＴＴクライアントの発言権を解除するように設定する過程を含むことを特徴とする項目４に記載のＰＴＴサービスシステムの発言権管理方法。
（項目８）
前記発言権管理方式を決定する過程は、
特定のＰＴＴクライアントの発言権を禁止するか、該当ＰＴＴクライアントのセッションを解除する過程を含むことを特徴とする項目４に記載のＰＴＴサービスシステムの発言権管理方法。
（項目９）
前記発言権管理方式を決定する過程は、
マスター権限を有するＰＴＴクライアントが第３のＰＴＴクライアントにマスター権限を移譲する過程を含むことを特徴とする項目４に記載のＰＴＴサービスシステムの発言権管理方法。
（項目１０）
前記発言権管理方式を決定する過程は、
第３のＰＴＴクライアントに与えられた発言権を強制的に解除し、マスター権限を有するＰＴＴクライアント自身が次の発言権の優先順位を有する過程を含むことを特徴とする項目４に記載のＰＴＴサービスシステムの発言権管理方法。
【００１１】
本発明は、ＰＴＴサーバーが特定のＰＴＴクライアントにマスター権限を与える過程と、前記マスター権限を有するＰＴＴクライアントが選択する発言権管理方式により前記ＰＴＴサーバーが他のＰＴＴクライアントを制御する過程により、ＰＴＴサーバーがセッションを開始するＰＴＴクライアントにマスター権限を与え、前記マスター権限を有するＰＴＴクライアントが発言権管理方式を自由に制御するＰＴＴサービスシステムの発言権管理方法を提供する。
【発明の効果】
【００１２】
本発明に係るＰＴＴサービスシステムの発言権管理方法は、特定のＰＴＴクライアントにマスター権限を与え、マスター権限を有するＰＴＴクライアントが発言権管理方式を制御することにより、発言権を効率的に与えることができると共に、セッションの設定を柔軟に制御できるという効果がある。
【００１３】
また、本発明に係るＰＴＴサービスシステムの発言権管理方法は、マスター権限を有するＰＴＴクライアントが特定のＰＴＴクライアントをセッション設定から除外することを可能にすることにより、特定のＰＴＴクライアントをセッションから除外するためにセッションを再設定する必要がないという効果がある。
【発明を実施するための最良の形態】
【００１４】
以下、図面を参照して本発明に係るＰＴＴサービスシステムの発言権管理方法の実施形態を説明する。
【００１５】
本発明によると、特定の使用者に発言権を管理できるマスター権限を与え、前記マスター権限を有する使用者が選択する発言権管理方式によりＰＴＴサーバーが発言権を制御する。
【００１６】
図１は、本発明に係る発言権管理方法を示すフローチャートである。
【００１７】
特定の使用者がＰＴＴクライアントを通じて２人以上の通話相手又はグループを指定してグループ通話を要求すると（Ｓ１１）、ＰＴＴサーバーは選択されたＰＴＴクライアントとＰＴＴサービスのためのセッションを設定し（Ｓ１２）、前記グループ通話を要求したＰＴＴクライアントに発言権管理のためのマスター権限を与える（Ｓ１３）。ここで、前記マスター権限が与えられたＰＴＴクライアントは、自体に内蔵されているか、前記ＰＴＴサーバーから受信したマスターメニューをアクティブ（active）にする（Ｓ１４）。
【００１８】
前記セッションにおいて、各使用者がＰＴＴキーを押して発言権を要求すると、前記ＰＴＴサーバーは、発言権を要求したＰＴＴクライアントのうち１つのＰＴＴクライアントに発言権を与える。一般に、前記ＰＴＴサーバーは、前記グループ通話を要求したＰＴＴクライアントに発言権を与える。
【００１９】
前記マスター権限を有するＰＴＴクライアントを通じて使用者が発言権管理方式を変更すると（Ｓ１５）、前記ＰＴＴサーバーは、前記変更された発言権管理方式にグループ通話モードを変更し、その管理方式により発言権を制御する（Ｓ１６）。
【００２０】
前記マスター権限を有するＰＴＴクライアントが選択できる発言権管理方式には、セッションが設定された各使用者に１回ずつ発言権を自動で与える方式や、特定のＰＴＴクライアントが所定時間以上発言権を独占する場合に自動で発言権を解除する方式や、特定の使用者の発言権を禁止する方式と、マスター権限を他の使用者に移譲する方式や、マスター権限を有する使用者が、緊急に伝送するメッセージがある場合に他の使用者の発言権を強制的に解除するか、次の発言権に対して優先順位を有する方式などがある。また、前記マスター権限を有するＰＴＴクライアントは、セッションに参加中の他のＰＴＴクライアントに発言権優先順位を与えることもできる。
【００２１】
以下、本発明に係る発言権管理方法が適用されたＰＴＴサービスシステムの動作を詳細に説明する。
【００２２】
まず、前記ＰＴＴサービスシステムは、第１〜第４ＰＴＴクライアントと、前記ＰＴＴクライアント間のセッションを設定して発言権を制御するＰＴＴサーバーとから構成される。また、前記第１ＰＴＴクライアントが前記第２〜第４ＰＴＴクライアントを通話相手に選択して発言権を要求すると仮定する。
【００２３】
前記第１ＰＴＴクライアントが前記ＰＴＴサーバーに招待メッセージを伝送すると、前記ＰＴＴサーバーは、通話のための初期化作業を実行した後、前記第１ＰＴＴクライアントに発言権管理のためのマスター権限を与える。また、前記ＰＴＴサーバーは、前記第１ＰＴＴクライアントが選択した第２〜第４ＰＴＴクライアントに招待メッセージを伝送する。
【００２４】
前記マスター権限を有する第１ＰＴＴクライアントは、自体に内蔵されているか、前記ＰＴＴサーバーからダウンロードしたマスターメニューをアクティブにする。前記ＰＴＴサーバーから招待メッセージを受信した第２ＰＴＴクライアント、第３ＰＴＴクライアント、第４ ＰＴＴクライアントは、それぞれ前記招待に対して承諾するか否かを決定する。ここで、前記ＰＴＴクライアントが前記招待を承諾する場合は、前記ＰＴＴサーバーにＯＫ信号が伝送され、前記招待を承諾しない場合は、前記ＰＴＴサーバーにＮＯＫ信号が伝送される。
【００２５】
前記マスター権限を有する第１ＰＴＴクライアントは、前記マスターメニューをアクティブにして前記通話の多様な動作を制御するためのメッセージを前記ＰＴＴサーバーに伝送するか、発言権管理方式を決定して前記ＰＴＴサーバーに伝達し得る権限を得る。
【００２６】
例えば、前記マスター権限を有する第１ＰＴＴクライアントは、セッションが設定された第２ＰＴＴクライアント、第３ ＰＴＴクライアント、第 ４ ＰＴＴクライアントに対する発言権付与方式を決定し、所定時間以上発言権を独占するＰＴＴクライアントの発言権を解除したり、特定のＰＴＴクライアントに対する発言権を禁止したりことができる。
【００２７】
また、前記マスター権限を有する第１ＰＴＴクライアントがセッションを終了する場合、自分のマスター権限を他のＰＴＴクライアントに移譲し、他のＰＴＴクライアントが発言権を有している間に前記マスター権限を有する第１ＰＴＴクライアントに緊急に伝送するメッセージが発生する場合、前記マスター権限を有する第１ＰＴＴクライアントは、他のＰＴＴクライアントに与えられた発言権を強制的に解除することもできる。
【００２８】
前記ＰＴＴサーバーは、前記第１ＰＴＴクライアントから発言権管理方式に対する指示を受けることにより、通話モードを変更して発言権割当方式を変更するか、ＰＴＴクライアントの発言権を解除するか、他のＰＴＴクライアントにマスター権限を与えるなど、変更された発言権管理方式により動作を実行する。
【００２９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３０】
【図１】本発明に係る発言権管理方法を示すフローチャートである。
【図１】
2006042357.tif 000003